(57)【特許請求の範囲】
【請求項１】
医療用ガスのアウトレットや医療用壁掛式吸引器の取付用フック、ナースコールユニット、コンセント、スイッチ等の医療用機器が組み付けられる医療用コンソールユニットにおいて、医療用コンソールユニットは、ベッド側方の頭部側の壁面に配設される上下方向に長い縦型形態を成し、壁面側から前方に突出するベッド側の第１突出壁と、第１突出壁よりベッドの反対方向側であって、第１突出壁前端部より壁面に近寄った場所に位置し、第１突出壁側から、ベッドから離れる方向に突出する第３突出壁と、第１突出壁と第３突出壁に連接する第２突出壁よりなり、第１突出壁には少なくとも医療用ガスのアウトレットやナースコールユニット、患者用コンセント、読書灯スイッチが配設され、第２突出壁には少なくとも医療機器用コンセントが配設され、第３突出壁には医療用壁掛式吸引器の取付用フックが設けられていることを特徴とする医療用コンソールユニット。
【請求項２】
第１突出壁は、ベッドから離れる方向で壁面から前方に突出し、第２突出壁は、第１突出壁の前端部からベッドから離れる方向で壁面方向に突出し、第３突出壁は、第２突出壁の壁面側端部から壁面に沿って、ベッドから離れる方向に突出することを特徴とする請求項１に記載の医療用コンソールユニット。
【請求項３】
医療用壁掛式吸引器の取付用フックの下方で、第２突出壁と第３突出壁間に渡って棚部が設けられていることを特徴とする請求項１あるいは請求項２に記載の医療用コンソールユニット。
【発明の詳細な説明】
【技術分野】
【０００１】
本発明は、主に病室内に設置され、患者に医療・看護行為を行う為のコンセント、スイッチ、ナースコールなどの電気設備や、医療用ガスのアウトレット（酸素、空気、吸引等のガスの供給口と吸引口等）などの医療用ガス設備が組み付けられる縦型の医療用コンソールユニットに関するものである。
【背景技術】
【０００２】
患者のベッド間の頭部側壁面に固定された縦型の医療用コンソールユニットにおいて、不使用時には、医療用器具の取付部や、配管の接続口類（医療用ガス等のアウトレット等）、ナースコールスイッチの取付口、電源コンセントの差込口等が外部に露呈することがないよう、病室内に配置した筐体の開口部に開閉自在に設けた扉で隠蔽し、医療器具が取り付け可能な器具取付部を扉裏面に設け、使用時には、開扉状態が維持されるよう、筐体と扉の間に、扉を開扉状態で筐体に対して固定する固定手段を設けたものがある。(特許文献１参照)
【０００３】
すなわち、上記医療用コンソールユニットは、扉、扉を開扉状態で固定する固定手段が必要となるため高価となる。さらに、医療器具の不使用時には、医療器具の取付部等が外部に露呈することがなく体裁はよいが、使用時には、特に、医療用吸引装置が患者の頭上に位置し（覆いかぶさり）、不安感を助長するだけでなく、落下の想像による恐怖感、痰等の吸引されたものが視認されることによる不快感などが生じる等の問題があった。
【先行技術文献】
【特許文献】
【０００４】
【特許文献１】特開２０１４−１５８５２４公報
【発明の概要】
【発明が解決しようとする課題】
【０００５】
本発明は、従来の問題点に鑑みて、簡単な構造で、患者に不安感、不快感を与えることが無く、機能性、意匠性に優れた使い勝手のよい医療用コンソールユニットを提供することを課題とする。
【課題を解決するための手段】
【０００６】
そこで、上記課題を解決する為、本発明が第１の手段として構成したところは、
医療用ガスのアウトレットや医療用壁掛式吸引器の取付用フック、ナースコールユニット、コンセント、スイッチ等の医療用機器が組み付けられる医療用コンソールユニットにおいて、医療用コンソールユニットは、ベッド側方の頭部側の壁面に配設される上下方向に長い縦型形態を成し、壁面側から前方に突出するベッド側の第１突出壁と、第１突出壁よりベッドの反対方向側であって、第１突出壁前端部より壁面に近寄った場所に位置し、第１突出壁側から、ベッドから離れる方向に突出する第３突出壁と、第１突出壁と第３突出壁に連接する第２突出壁よりなり、第１突出壁には少なくとも医療用ガスのアウトレットやナースコールユニット、患者用コンセント、読書灯スイッチが配設され、第２突出壁には少なくとも医療機器用コンセントが配設され、第３突出壁には医療用壁掛式吸引器の取付用フックが設けられているものである。
【０００７】
次に、上記課題を解決する為、本発明が第２の手段として構成したところは、上記第１手段に加え、第１突出壁は、ベッドから離れる方向で壁面から前方に突出し、第２突出壁は、第１突出壁の前端部からベッドから離れる方向で壁面方向に突出し、第３突出壁は、第２突出壁の壁面側端部から壁面に沿って、ベッドから離れる方向に突出するものである。
【０００８】
次に、上記課題を解決する為、本発明が第３の手段として構成したところは、上記第１手段あるいは第２の手段に加え、医療用壁掛式吸引器の取付用フックの下方で、第２突出壁と第３突出壁間に渡って棚部が設けられているものである。
【発明の効果】
【００１０】
第１の手段としての構成によると、第１突出壁よりベッドから離れた側であって、第１突出壁前端部より壁面に近寄った場所に位置に第３突出壁が形成されているので、患者側（ベッド側）からは、第１突出壁が、遮蔽板と似たような効果を奏するため、第３突出壁周辺は視認できない（視認しづらい）領域となり、患者が直接みることにより、不安感、不快感を与える恐れのある汚物吸引ビンなどの器具の設置領域とすることが出来る。
また、第３突出壁が壁寄りに形成されているので、医療用コンソールユニット全体の容積を減らすことができるため、医療用コンソールユニットを設置することによる部屋全体の圧迫感を少なくすることができる。
そして、第３突出壁が第２突出壁の壁面側端部から壁面に沿って形成され、医療用壁掛式吸引器の取付用フックが設けられているので、医療用壁掛式吸引器の内容物(あるいは、吸引器自体)が第１，２突出壁によって、患者の視線からほぼ遮蔽され、又、患者から離れた箇所に位置するので、視覚、聴覚から来る不快感を和らげることが出来、第２突出壁の傾斜によって、作業側の作業用の間口が広くなっているので、取付用フックに対する医療用壁掛式吸引器の着脱も正面側から行うことが可能で、作業が容易である。
【００１１】
第２の手段としての構成によると、第１突出壁がベッドから離れる方向で壁面から前方に突出し、少なくとも医療用ガスのアウトレットやナースコール子機器具、コンセント、スイッチを備えているので、患者に対して、医師、看護士が、医療行為あるいは看護行為を行う場合に、作業側領域の間口が広くなるので、作業に手狭感がなく、手際よく処置できる。
又、患者に対しては、圧迫感がなくリラックス効果が期待できる。
さらに、第２突出壁がベッドから離れる方向で壁面方向に突出し、コンセント等が配設されているので、コンセントを使用する使用者(医師、看護士)の間口が広くなり、作業が容易であり、医師、看護士側からの視認領域、医療用測定器具等の操作領域が確保され、第３突出壁が第２突出壁の壁面側端部から壁面に沿って形成されているので、患者側からは、視認できない（視認しづらい）領域となり、患者に不安感、不快感を与える恐れのある器具等の設置領域とすることが出来る。
【００１４】
第３の手段としての構成によると、第１の手段あるいは第２の手段としての構成による効果の加え、医療用壁掛式吸引器の取付用フックの下方で、第２突出壁と第３突出壁間に渡って棚部が設けられているので、第２突出壁と第３突出壁間および医療用コンソールユニット全体の強度補強に役立つだけでなく、吸引器のボトルの取替え時の仮置き台として使用することもできるので、非常に作業が容易である。
【図面の簡単な説明】
【００１５】
【図１】医療用コンソールユニットの病室での使用状態を示す平面図。
【図２】医療用コンソールユニットの使用状態を示す斜視図。
【図３】医療用コンソールユニットの要部拡大横断面図。
【図４】医療用コンソールユニットの他の実施例を示す要部拡大横断面図。
【発明を実施するための最良の形態】
【００１６】
医療用ガスのアウトレットや医療用壁掛式吸引器の取付用フック、ナースコールユニット、患者用・医療用コンセント、スイッチ等が組み付けられる医療用コンソールユニットにおいて、医療用コンソールユニットは、ベッド側方の頭部側の壁面に配設される上下方向に長い縦型形態を成し、ベッドから離れる方向で壁面から前方に突出するベッド側の第１突出壁と、第１突出壁の前端部からベッドから離れる方向で壁面方向に突出する第２突出壁と、第２突出壁の壁面側端部から壁面に沿って、ベッドから離れる方向に突出する第３突出壁よりなり、第１突出壁には医療用ガスのアウトレットやナースコールユニット、患者用コンセント、読書灯スイッチ等が配設され、第２突出壁には医療用コンセント等が配設され、第３突出壁には医療用壁掛式吸引器の取付用フックが設けられ、壁掛式吸引器の取付用フックの下方で、第２突出壁と第３突出壁間に渡って棚部が設けられているものである。
【実施例】
【００１７】
以下、第１実施例を添付図面に基づいて詳述する。
図１において、符号１００、１００は、ベッド２００、２００間の頭部側壁面２０１に設置された本発明の医療用コンソールユニットを示し、符号３００、３００は医療用コンソールユニット１００、１００間に設けられたカーテンを示し、符号４００、４００は患者の収納ユニットを示し、符号５００、５００は患者の頭上に設けられて読書灯を示している。
【００１８】
医療用コンソールユニット１００は、図２、図３に示すように、ベッド側方の頭部側の壁面２０１に配設される上下方向に長い縦型形態を成し、頭部側の壁面２０１と連結される本体１と、本体１の前面側を着脱自在に閉塞するカバー体２と、本体１に取り付けられ、カバー体２の開口に臨むガス接続器具（医療用ガスのアウトレット）３、３、ナースコールユニット（ナースコール接続口、及びナースコール子機器具）３１、読書灯スイッチ３２  患者用コンセント３３、医療用壁掛式吸引器３０の取付用フック３４、医療機器用コンセント３５、棚部３６、３６等より構成されている。
【００１９】
本体１は、頭部側壁面２０１と連結される基板１１と、基板１１のベッド側で内部を略２対１に左右を仕切る、上下方向に配設された左右仕切り壁１２と、左補強用連結壁１３・・・と、アウトレット連結壁１６と、カバー取付壁１７・・・、第１電気機器取付壁（図示せず。）第２電気機器取付壁１８・・・等より構成されている。
【００２０】
左補強用連結壁１３・・・は、左右仕切り壁１２の左側部と基板１１間で、基板１１及び左右仕切り壁１２と所定間隔を有し、その上下端部と、上下方向中央部に配設されており、基板１１と平行な平行側片１３１と、左右仕切り壁１２側で２段階の平行部分を有する段部側片１３２よりなり、基板１１、左右仕切り壁１２、左補強用連結壁１３間のスペースを配線スペース１５０としている。そして、第２電気機器取付壁１８、１８は、基板１１の左側中央部で上下方向所定範囲に設けられた第２取付壁連結座１８１と、左右仕切り壁１２の頂部間の上下方向の所定位置（医療機器用コンセント３５・・・が位置する箇所）に設けられている、
【００２１】
アウトレット連結壁１６は、左右仕切り壁１２及び基板１１の縦方向略中央部（医療用ガスのアウトレット３、３が取り付けられる部分）に設けられた縦長の取付座１６１に所定間隔を有して連結され、ガス配管スペース１５を形成する。
【００２２】
カバー取付壁１７・・・は、縦仕切り壁１２の頂部と基板１１の右側端部の上端部と上下方向中央部に配設されている。
そして、ナースコールユニット（ナースコール接続口、及びナースコール子機器具）３１、読書灯スイッチ３２  患者用コンセント３３が取り付けられる位置に、カバー取付壁１７・・・と同様に設けられた、第１電気機器取付壁（図示せず。）が設けられている。
【００２３】
カバー体２は、基板１１、カバー取付壁１７・・・のベッド２００側端部から、ベッド２００から離れる方向で壁面２０１から前方に突出するベッド２００側の第１突出壁２１を有する第１カバー体５と、第１突出壁２１の前端位置からベッド２００から離れる方向で壁面２０１方向に突出する第２突出壁２２と、第２突出壁２２の壁面側２０１端部から壁面２０１に沿って、ベッド２００から離れる方向に突出する第３突出壁２３を有する第２カバー体６より構成され、カバー取付壁１７・・・、左補強用連結壁１３・・・に着脱自在に取り付けられる。
【００２４】
そして、第１カバー体５は上下に分割された、第１上カバー体５１と第１下カバー体５２より構成され、第１上カバー体５１の第１突出壁２１は、アウトレット連結壁１６に取り付けられた医療用ガスのアウトレット３、３が臨むアウトレット用開口３０１、３０１を有し、上端部と中央部のカバー取付壁１７、１７にキャッチ、連結ネジ等で着脱自在に取り付けられている。
【００２５】
又、第１下カバー体５２の第１突出壁２１は、第１電気機器取付壁（図示せず。）に取り付けられたナースコールユニット（ナースコール接続口、及びナースコール子機器具）３１、読書灯スイッチ３２  患者用コンセント３３が臨む第１電気器具取付用開口３０２・・・を有し、下端部と中央部のカバー取付壁１７、１７にキャッチ、連結ネジ等で着脱自在に取り付けられている。
【００２６】
尚、ナースコールユニット（ナースコール接続口、及びナースコール子機器具）３１、読書灯スイッチ３２  患者用コンセント３３の配線スペース１５０からの配線は、カバー体２が取付けられていない状態で、それぞれの取付高さ位置に対応して、縦仕切り壁１２に形成された複数の配線用導入孔（図示せず。）から行われる。
【００２７】
第２カバー体６は、第２突出壁２２の所定位置（第２電気機器取付壁１８・・・に取り付けられ医療機器用コンセント３５・・・が位置する箇所）に医療機器用コンセント３５が臨む第２電気器具取付用開口３０３を有し、第３突出壁２３の所定位置（左補強用連結壁１３の平行側片１３１に形成された、医療用壁掛式吸引器３０の取付用フック３４の連結用の螺孔（図示せず。）が臨む位置）に、フック取付用開口（図示せず。）を有し、左補強用連結壁１３・・・に、キャッチ、連結ネジ等で着脱自在に正面側から取り付けられている。
【００２８】
尚、実施例では、医療用壁掛式吸引器３０の取付用フック３４の連結用の螺孔を左補強用連結壁１３の平行側片１３１に形成して、第３突出壁２３側で医療用壁掛式吸引器３０を使用しているが、第２突出壁２２側に取付用フック３４の連結用の螺孔を形成して、医療用壁掛式吸引器３０を使用するようにしても良い。
そして、取付用フック３４は、第２カバー体６が取付られた後、平行側片１３１に形成された連結用の螺孔（図示せず。）を利用して、第２カバー体６の表面側に連結される。
【００２９】
棚部３６は、３６は同形で、医療用壁掛式吸引器３０の取付用フック３４の下方で、上下方向に所定間隔を有して、第２カバー体６の第２突出壁２２、第３突出壁２３間に連結ネジ等で、第２カバー体６がキャッチ、あるいは連結ネジにて、左補強用連結壁１３・・・
に取り付けられた後、連結され、第２突出壁２２、第３突出壁２３を補強する。
【００３０】
そして、棚部３６は、医療用壁掛式吸引器３０のボトル交換時の使用済みボトル、あるいは、交換用ボトルの仮置き台として使用できるだけでなく、医療・看護の使用済み機器の仮置き台としても使用できる。
【符号の説明】
【００３１】
１        本体
１００    医療用コンソールユニット
２        カバー体
２１      第１突出壁
２２      第２突出壁
２３      第３突出壁
２００    ベッド
２０１    頭部側の壁面
３        医療用ガスのアウトレット
３０      医療用壁掛式吸引器
３１      ナースコールユニット
３２      読書灯ユニット
３３      患者用コンセント
３４      取付用フック
３５      医療機器用コンセント
３６      棚部
【図１】
0006482422.tif 000002
【図２】
0006482422.tif 000003
【図３】
0006482422.tif 000004
【図４】
0006482422.tif 000005